(57)【要約】【課題】枠体の内側に乾燥剤を配設することなく、ガラス内面の結露発生を防止できる、複層ガラスを提供する。【解決手段】２枚の板ガラス１１，１２と、２枚の板ガラスが所定の間隔を置いて対向するよう２枚の板ガラスの間で板ガラスの周縁部に沿って設けたスペーサー２０と、２枚の板ガラスを支持する枠体３０と、を備えた複層ガラス１において、ガラス１１，１２同士が対向する内面の一方又は両方に、フィルム４０が貼着されており、フィルム４０が吸湿樹脂で成る。ガラス１１，１２の内面の一部又は内面全域を覆うようにフィルム４０を貼着する。２枚のガラス１１，１２間の湿気は、フィルム４０の乾燥剤に吸着されるため、結露が生じない。【選択図】図１
2010083720.tif 000002
【特許請求の範囲】
【請求項１】
２枚の板ガラスと、当該２枚の板ガラスが所定の間隔を置いて対向するよう当該２枚の板ガラスの間で上記板ガラスの周縁部に沿って設けられたスペーサーと、上記２枚の板ガラスを支持する枠体と、を備えた複層ガラスにおいて、
上記板ガラス同士が対向するガラス内面の一方又は両方に、フィルムが貼着されており、該フィルムが吸湿樹脂で成る、複層ガラス。
【請求項２】
前記フィルムは、前記板ガラスの内面の一部又は内面全域を覆うように貼着されていることを特徴とする、請求項１に記載の複層ガラス。
【請求項３】
前記板ガラスと前記フィルムとの間に、紫外線吸収シート及び／又は赤外線吸収シートが配設されていることを特徴とする、請求項１又は２に記載の複層ガラス。
【請求項４】
前記フィルムに、紫外線吸収剤及び／又は赤外線吸収剤が混入されていることを特徴とする、請求項１又は２に記載の複層ガラス。
【発明の詳細な説明】
【技術分野】
【０００１】
本発明は複層ガラスに係り、特に、２枚のガラスの間の領域に湿気を吸収する吸湿材を配設した複層ガラスに関する。
【背景技術】
【０００２】
従来、複層ガラスは、２枚のガラスの間に空気層を挟んで断熱性能を高めるための建具として利用されており、部屋の内外の温度差が原因で生じる結露などの発生を減少させることができる。
この複層ガラス１００は、例えば図６に示すように、２枚の板ガラス１１１，１１２と、これらの２枚の板ガラス１１１，１１２が所定の間隔を置いて対向するよう当該２枚の板ガラス１１１，１１２の間で板ガラス周縁部に沿って設けられたスペーサー１２０と、２枚の板ガラス１１１，１１２を支持する枠体１５０と、から構成されている。さらに、複層ガラス１００には、乾燥剤１６０が枠体１５０の内側に配設されて、中間の空気層における湿気を除去してガラス内面の結露を防止している。この種の複層ガラスが特許文献１に開示されている。
【特許文献１】特開平７−１７７４８号公報
【発明の開示】
【発明が解決しようとする課題】
【０００３】
しかしながら、特許文献１や図６に示す従来の複層ガラス１００では、ガラス内面における結露防止用の乾燥剤１６０を配設するためのスペースを枠体領域に確保する必要があり、その乾燥剤スペースを配設する分、枠体１５０が大きくなり、その結果、ガラス１１１，１１２の面積が小さくなってしまう。
これでは、採光量が低下し、また、意匠性も低減する虞がある。
【０００４】
そこで、本発明は、枠体の内側に乾燥剤を配設することなく、ガラス内面の結露発生を防止できる複層ガラスを提供することを目的とする。
【課題を解決するための手段】
【０００５】
上記目的を達成するため、本発明は、２枚の板ガラスと、当該２枚の板ガラスが所定の間隔を置いて対向するよう当該２枚の板ガラスの間で上記板ガラスの周縁部に沿って設けられたスペーサーと、２枚の板ガラスを支持する枠体と、を備えた複層ガラスにおいて、ガラス板同士が対向するガラス内面の一方又は両方に、吸着樹脂で成るフィルムが貼着されていることを特徴とする。本実施形態において、フィルムのうち特に厚みの薄いものを被膜という。
本発明の複層ガラスにおいて、上記フィルムは板ガラスの内面の一部又は内面全域を覆うように貼着される。
【発明の効果】
【０００６】
本発明によれば、２枚の板ガラス間の空間に存在する湿気は、ガラスの内面に貼着した乾燥剤入りフィルムに吸収される。したがって、複層ガラスの空間側が低い温度になったとしても、２枚のガラス間の湿気はフィルムの乾燥剤に吸着されるため、結露が生じることを防止することができる。
【発明を実施するための最良の形態】
【０００７】
以下、図面に示した実施形態に基づいて本発明を詳細に説明する。
〔第１実施形態〕
図１（Ａ）は本発明の第１実施形態に係る複層ガラス１の正面図であり、（Ｂ）は（Ａ）のＡ−Ａ線に沿った概略断面図である。図２は図１（Ｂ）のＢ−Ｂ線に沿った概略断面図である。
複層ガラス１は、２枚の板ガラス１１，１２と、スペーサー２０と、枠体３０と、を備えている。
スペーサー２０は、２枚の板ガラス１１，１２が所定の間隔を置いて対向するよう当該２枚の板ガラス１１，１２の間で板ガラス周縁部に沿って設けられている。このスペーサー２０によって２枚の板ガラス１１，１２の間に空間Ｓが画成される。
枠体３０は、２枚の板ガラス１１，１２を支持するものであり、上枠部３１と下枠部３２と左枠部３３と右枠部３４とから構成されている。これらの上枠部３１，下枠部３２，左枠部３３及び右枠部３４は、図１（Ｂ）に示すように断面コ字型のフレームとして構成されている。
【０００８】
さらに、本実施形態の複層ガラス１では、図１（Ｂ）に示すように、２枚のガラス１１，１２間において一方のガラス１１の内面に乾燥剤入りフィルム４０が貼着されていることを特徴とする。板ガラス１１，１２の内面に湿気が生じないよう、複層ガラス１の製作に当たっては気密性を保つように工夫されてはいるが、板ガラス１１，１２の間の空間Ｓに空気の水分が入り込んだまま製作されることになるので、この湿気により結露を生じることがあり得る。そこで、板ガラス間の空間Ｓに生じ得る結露が発生するのを防止することが必要となる。
本発明で使用する上記乾燥剤入りフィルム４０は、図２に示すように、樹脂フィルム４１に乾燥剤４２を混入させて構成されている。乾燥剤４２は、シリカゲル、活性アルミナ又はモレキュラーシーブであり、好ましくは、モレキュラーシーブを使用する。より具体的には、モレキュラーシーブの細孔径として、３Å，４Å，５Å，１０Åのものが知られているが、本実施形態では、細孔径が３Å，４Åのモレキュラーシーブを使用する。
本実施形態では、前述の物理吸着剤に限らず、化学吸着剤、例えばＣａＯ，ＭｇＯ，ＢａＯ，ＣａＳＯ4，ＭｇＳＯ4, Ｎａ2ＳＯ4, ＣｏＳＯ4, ＧａＳＯ4, Ｌｉ2ＳＯ4, ＣａＣｌ2などを乾燥剤として利用してもよい。
【０００９】
樹脂フィルム４１は、高いメルトフローレートであり、かつ低融点（低軟化点）、低温ドローダウン性に良好な樹脂で成り、例えば低密度ポリエチレン（low-density polyethylene：ＬＤＰＥ）、直鎖状低密度ポリエチレン（linear low-density polyethylene：ＬＬＤＰＥ）、ポリプロピレン（polypropylene：ＰＰ）、各種共重合体（コポリマー）として、アイオノマー、ＥＡＡ、ＥＭＡＡ、ＥＶＡ、ＥＥＡ、ＥＭＡ、ＥＭＭＡが用いられる。このような樹脂の中から高メルトフローレート、好ましくはメルトフローレートが１０以上のものを適宜選択する。なお、本実施形態においては、例えば、特許第３９１９５０３号などに開示の乾燥剤混入フィルムを使用する。この乾燥剤混入フィルムは、粉末状の乾燥剤を樹脂に混練して成形したものであり、乾燥剤の含有量が樹脂と乾燥剤との混合物の１重量％から５０重量％であり、乾燥剤を３Å又は４Åの細孔径を有するモレキュラーシーブとし、樹脂の少なくとも１種にメルトフローレートが１０以上の樹脂を含有する。
【００１０】
このような乾燥剤混入フィルム４０は、押出成形機によって製造することができる。例えば、乾燥剤４２が混練された粒状の樹脂材料を押出成形機のホッパーに投入すると、投入された樹脂材料は、押出成形機のスクリューの回転につれて前方に搬送され、押出成形機のヒータによる加熱によって溶融し、溶融した樹脂はスクリューによって外にフィルム状に押し出される。フィルム状に押し出された溶融樹脂フィルムは、冷却ロールによって強制的に冷却されて固化し、引張ローラや平切ローラ等の処理を施されて、乾燥剤入りフィルムとして巻取装置に巻き取られて完成する。なお、本実施形態においては、例えば、特許第３９１９５０３号などに開示の乾燥剤混入フィルムの製造方法を利用でき、乾燥剤と樹脂とを混練した粒状樹脂を押出成形機に投入し、押出温度２４０℃以下として、粒状樹脂を押し出して当該フィルムを成形することができる。
【００１１】
本実施形態において、乾燥剤入りフィルム４０は、図１（Ｂ）に示すように、一方のガラス１１の内面の全域に貼り付けられている。なお、取付面はガラス内面の全域に限らず、図３（Ａ）に示すように上側領域のみでも、図３（Ｂ）に示すように下側領域のみでも、図３（Ｃ）に示すように高さ方向の中間領域だけでもよい。
【００１２】
乾燥剤入りフィルム４０とガラス１１との接合は、例えば、熱接合によって成される。また、乾燥剤入りフィルム４０のガラス１１への貼着は、溶剤や接着剤を用いてもよい。接着剤としては、特開２００２−８７８４９号公報の段落〔００３０〕等に開示されている、「ガラス板等の透明基板と有機樹脂フィルムとを接着する接着樹脂」を利用することができる。例えば、ＥＶＡ、エチレン−アクリル酸メチル共重合体、ポリビニルブチラール（ＰＶＢ）樹脂、エポキシ樹脂、アクリル樹脂、フェノール樹脂、ポリエステル樹脂、ウレタン樹脂等を利用できる。
【００１３】
本発明の実施形態に係る複層ガラス１は以上のように構成され、２枚のガラス１１，１２間の空気層に存在する湿気は、一方のガラス１１に貼り付けた乾燥剤入りフィルム４０に吸収される。したがって、複層ガラス内部の空気層側が低い温度になったとしても、２枚のガラス１１，１２間の湿気は、フィルムの乾燥剤４２（図２参照）に吸着されるため、２枚のガラス１１，１２間で結露が生じることがない。
【００１４】
特に、特許文献１に示すような、従来の複層ガラス１００において、枠体１５０の内側に配設した乾燥剤１６０に比べて、本実施形態の複層ガラス１では、一方のガラス内面全域に乾燥剤入りフィルム４０が貼り付けられていることから、湿気を吸収するための表面積を広くすることができるので、特許文献１や従来の複層ガラス１００に比べて曇り防止効果が高い。
【００１５】
〔第２実施形態〕
図４は、本発明の第２実施形態に係る複層ガラス１Ａを示す断面図である。第１実施形態の複層ガラス1と同じ構成部材については、同じ符号を付してその説明を省略する。第２実施形態に係る複層ガラス１Ａでは、図４に示すように、両方のガラスの内面に乾燥剤入りフィルム４０が貼着されている。
【００１６】
このように構成される、本発明の第２実施形態に係る複層ガラス１Ａによれば、第１実施形態に比べて湿気を吸収する領域面積が広がるため、２枚のガラス１１，１２間における結露の発生をより一層防止できる。
【００１７】
〔第３実施形態〕
図５は、本発明の第３実施形態に係る複層ガラス１Ｂを示す断面図である。第１実施形態の複層ガラス1と同じ構成部材については、同じ符号を付してその説明を省略する。第３実施形態に係る複層ガラス１Ｂでは、図５に示すように、板ガラス１１と乾燥剤入りフィルム４０との間に紫外線吸収シート５０が配設されていることを特徴としている。
紫外線吸収シートは、基材となる樹脂に紫外線吸収剤を混入して成る。
【００１８】
このように構成される、本発明の第３実施形態に係る複層ガラス１Ｂによれば、第１実施形態と同様の効果が得られることに加え、紫外線を吸収することができる。
なお、上記紫外線吸収シート５０の代わりに、赤外線吸収シートを板ガラス１１と乾燥剤入りフィルム４０との間に設けてもよい。この場合の赤外線吸収シートは、基材となる樹脂に赤外線吸収剤を混入して成る。
さらに、板ガラス１１と乾燥剤入りフィルム４０との間に、紫外線吸収シートだけでなく、赤外線吸収シートを配設してもよい。
【００１９】
本発明は、発明の趣旨を逸脱しない範囲において様々な形態で実施することができる。
本発明は、図示例の寸法に限定されるものではなく、厚みも０．０１〜３．０ｍｍ程度、好ましくは０．０２５〜０．５ｍｍの被膜として構成したものでもよい。
第３実施形態のように板ガラスと乾燥剤入りフィルム４０との間に紫外線吸収シート５０や赤外線吸収シートを配設する代わりに、紫外線吸収剤及び／又は赤外線吸剤を混入した乾燥剤入りフィルムを用いても良い。
また、乾燥剤入りフィルムは、特開２００５−２８０１８８号公報の段落〔００２８〕等に開示のように、乾燥剤を混入したフィルムに熱可塑性樹脂で成る補強フィルムを重ね合わせた積層構造として構成されたものを用いても良い。
また、上記実施形態では、樹脂と乾燥剤との混合比（含有量）、メルトフローレート、成形温度などを例示したが、その数値に限定されるものではない。
また、前述の実施形態では、２枚の板ガラス１１，１２間の空間Ｓが空気層である場合を前提にしたが、当該空間は真空又は外気より低圧或いは高圧であってもよい。
本発明は、ブラインド内蔵型の複層ガラスにも適用できることは言うまでもない。
【図面の簡単な説明】
【００２０】
【図１】（Ａ）は本発明の第１実施形態に係る複層ガラスの正面図であり、（Ｂ）は（Ａ）のＡ−Ａ線に沿った断面図である。
【図２】図１（Ｂ）のＢ−Ｂ線に沿った乾燥剤入りフィルムの断面図である。
【図３】(A)〜(C)は、乾燥剤入りフィルムのガラスへの貼着例を示す図である。
【図４】本発明の第２実施形態に係る複層ガラスの断面図である。
【図５】本発明の第３実施形態に係る複層ガラスの断面図である。
【図６】従来の複層ガラスの断面図である。
【００２１】
１，１Ａ，１Ｂ    複層ガラス
１１    板ガラス
２０    スペーサー
３０    枠体
３１    枠体の上枠部
３２    枠体の下枠部
３３    枠体の左枠部
３４    枠体の右枠部
４０    乾燥剤混入フィルム
４１    樹脂フィルム
４２    乾燥剤
５０    紫外線吸収シート
Ｓ      空間
【図１】
2010083720.tif 000003
【図２】
2010083720.tif 000004
【図３】
2010083720.tif 000005
【図４】
2010083720.tif 000006
【図５】
2010083720.tif 000007
【図６】
2010083720.tif 000008